(57)【要約】【課題】インナーフォーカス方式による小型軽量で、結像性能が良好で、フォーカス機構の軽量化・オートフォーカス応答高速化・構造簡素化を実現できるズームレンズを提供すること。また、ズーム比を１０倍超にしてもズームレンズ光学系が重量化・大型化せず、鏡筒も合理的な寸法に抑えられるズームレンズを提供すること。【解決手段】物体側から順に、正の屈折力を有する第１レンズ群Ｇ１，負の屈折力を有する第２レンズ群Ｇ２，正または負の屈折力を有する第３レンズ群Ｇ３，全体として正の屈折力を有する第４レンズ群Ｇ４を有し、前記第４レンズ群Ｇ４は、物体側からレンズ群４Ａ群、負の屈折力を有し、防振時光軸に対して略垂直方向に移動するレンズ群４Ｂ群，後続するレンズ群４Ｃ群からなズームレンズ。【選択図】図１
2012181526.tif 000002
【特許請求の範囲】
【請求項１】
物体側から順に、正の屈折力を有する第１レンズ群Ｇ１，負の屈折力を有する第２レンズ群Ｇ２，正または負の屈折力を有する第３レンズ群Ｇ３，全体として正の屈折力を有する第４レンズ群Ｇ４を有し、
前記第４レンズ群Ｇ４は、物体側からレンズ群４Ａ群、負の屈折力を有し、防振時光軸に対して略垂直方向に移動するレンズ群４Ｂ群，後続するレンズ群４Ｃ群からなり、
変倍に際して、前記第１レンズ群Ｇ１と前記第２レンズ群Ｇ２との間隔が広角端に対して望遠端で広がり、前記第３レンズ群Ｇ３は移動し、第４レンズ群Ｇ４は広角端に対して望遠端で撮像面から離れるように移動し，前記４Ｂ群は前記４Ａ群、４Ｃ群に対して移動し、
フォーカスに際して，前記第３レンズ群Ｇ３が光軸上を前後に移動することを特徴とするズームレンズ。
【請求項２】
以下の条件を満足する請求項１記載のズームレンズ。
（１）０．２＜｜Ｆ２／Ｆ３｜＜２．５
Ｆ２：第２レンズ群の焦点距離
Ｆ３：第３レンズ群の焦点距離
【請求項３】
以下の条件を満足する請求項１記載のズームレンズ。
（２）０．１８＜Ｆ１/ＦＴ＜２．１０
Ｆ１：第１レンズ群の焦点距離
ＦＴ：望遠端の焦点距離
【請求項４】
以下の条件を満足する請求項１記載のズームレンズ。
（３）１．０＜｜Ｆ３/Ｆｗ｜＜２．４
Ｆ３：第３レンズ群の焦点距離
ＦＷ：広角端の焦点距離
【請求項５】
前記レンズ群４Ｂ群は、少なくとも正、負２枚構成からなり、以下の条件を満足する請求項１記載のズームレンズ。
（４）−１．６＜Ｆ４Ｂ／Ｆ４ｗ＜−０．１
Ｆ４Ｂ：第４レンズ群中に含まれる防振レンズ群の焦点距離
Ｆ４ｗ：第４レンズ群の広角端の焦点距離
【請求項６】
第３レンズ群Ｇ３は、単一のレンズ成分からなる請求項１ないし５のいずれか一項に記載のズームレンズ。
【発明の詳細な説明】
【技術分野】
【０００１】
本発明は、３５mmカメラ、ビデオカメラ、電子スチルカメラ等に用いられるズームレンズ、さらに詳しくは、バックフォーカスが短く、いわゆるミラーレス一眼カメラにも装着可能なズームレンズに関する。
【背景技術】
【０００２】
従来、一眼レフレックスカメラ用のズームレンズは、該ズームレンズと受光素子との間に回動ミラーが存在するため、バックフォーカスを長くする必要があり、ズームレンズ設計の自由度を制限していた。ミラーレス一眼カメラにおいては、ズームレンズのバックフォーカスを短くすることができ、ズームレンズ設計の自由度が増える利点がある。
【０００３】
また、比較的高倍率のズームレンズであって、全体として正の屈折力を有し、変倍時移動するレンズ群の内部に、防振群を配置するレンズタイプが従来より知られている。例えば、物体側から、正負正負正のレンズ構成で、第４レンズ群を像ぶれ補正群とする。その第４レンズ群を、像ぶれ補正群の前後に配置されるレンズ群が一体となり、変倍時、すべてのレンズ群が移動するものが知られている。
さらに、正負負正のレンズ構成で、第４レンズ群内にぶれ補正群を配置し、すべてのレンズ群が移動するものが知られている。
さらにまた、負正負正の構成で第２レンズ群と第４レンズ群とが一体となり、第３レンズ群で像ぶれ補正を行い、変倍時すべてのレンズ群が移動するものが知られている。
【０００４】
具体的には、従来のズームレンズの一つは、デジタル一眼レフカメラ等に搭載される変倍光学系ＺＬは、物体側から順に、正の屈折力を有する第１レンズ群Ｇ１、負の屈折力を有する第２レンズ群Ｇ２、正の屈折力を有する後群ＧＲを有し、第２レンズ群Ｇ２は、少なくとも１つ以上の正レンズと、この正レンズのうち最も屈折力の大きい正レンズの物体側に隣接して配置される負レンズと、を有し、第２レンズ群Ｇ２の最も像側のレンズ面は、非球面形状であり、広角端状態から望遠端状態まで変倍する際に、第１レンズ群Ｇ１と第２レンズ群Ｇ２との間隔が変化し、第２レンズ群Ｇ２と後群ＧＲとの間隔が変化するよう構成されている（例えば、特許文献１参照）。
【０００５】
従来の他のズームレンズとして、複数のレンズ群を含み、レンズ群同士の間隔を変化させることによってズーミングを行うズームレンズ系であって、
物体側から像側へ向けて順に、正のパワーを有する第１レンズ群と、負のパワーを有する第２レンズ群と、負のパワーを有する第３レンズ群と、第４レンズ群とを備え、
以下の条件式を満足する、ズームレンズ系：
１．８８＜ｎｄ2 ・・・（１８）
ここで、ｎｄ2：第２レンズ群に含まれるレンズ素子（ハイブリッドレンズの場合は、樹脂層を除いた部分）の平均屈折率、であるものが提案されている（例えば、特許文献２参照）。
【０００６】
従来の他のズームレンズとして、最も物体側に配置され、負の屈折力を有する前群と、前記前群より像側に配置され、負の屈折力を有し、少なくとも一部が光軸と略垂直方向の成分を持つように移動する後群と、を有し、
前記後群は、負の屈折力を有する第１負レンズ成分と、負の屈折力を有する第２負レンズ成分と、正の屈折力を有する正レンズ成分と、を有し、前記第２負レンズ成分は、前記第１負レンズ成分と前記正レンズ成分との間に配置され、前記第１負レンズ成分の前記第２負レンズ成分側のレンズ面は、当該第２負レンズ成分に対して凹面を向けるように形成され、前記第２負レンズ成分は、前記第１負レンズ成分に対して凹面を向けた負メニスカスレンズ形状である撮影レンズが提案されている（例えば、特許文献３参照）。
【先行技術文献】
【特許文献】
【０００７】
【特許文献１】特開２０１０−１７５９０３号
【特許文献２】特開２０１０−１７５９５７号
【特許文献３】特開２０１０−２１７５３５号
【発明の概要】
【発明が解決しようとする課題】
【０００８】
特許文献１に開示されたズームレンズは、フォーカス時、負の屈折力を有する第２レンズ群Ｇ２を構成する、全てのレンズを光軸上を移動させており、フォーカス機構の軽量化・応答高速化・簡素化の実現に逆行する構成となっている。
【０００９】
特許文献２に開示されたズームレンズ系は、第３レンズ群をフォーカスレンズ群とし、その構成を簡素化し、軽量化を実現している。しかし、フォーカスレンズ群が、絞り位置よりも物体側に配置されおり、フォーカスレンズ群のフォーカス移動領域を確保するには、絞り位置と、第１レンズ群との間隔を、大きくしなければならない。その結果、ズーム比の拡大は、第１レンズ群の直径の拡大を招き、ズームレンズ光学系の高重量化・大型化そして鏡筒の大型化が避けられない構成である。
【００１０】
特許文献３に開示された撮影レンズは、４つのレンズ群構成のうち、第２レンズ群を第２レンズ前群と第２レンズ後群とによって形成し、第２レンズ前群を、光軸上を移動させることにより合焦を行い、フォーカス群の軽量化を図っている。さらに、第２レンズ群及び第４レンズ群を、一体として光軸上を移動させるとともに、構成レンズ群の全てを、光軸上で移動させることによって効率よくズーム変倍比を確保している。しかしながら、１０倍を超えるような高変倍比を持つズームレンズを実現させる場合、負群先行のズームタイプでは、高い結像性能を実現することは困難である。
【００１１】
（発明の目的）
本発明は、従来のズームレンズの、上述した問題点に鑑みてなされたものであって、インナーフォーカス方式による、小型軽量で結像性能の良好な、高倍率ズームレンズを提供することを目的とする。
特に、本発明は、フォーカス機構の軽量化・オートフォーカス応答高速化・構造簡素化を実現できるズームレンズを、提供することを目的とする。本発明はまた、ズーム比を１０倍超にしても、ズームレンズ光学系が重量化・大型化せず、鏡筒も合理的な寸法に抑えられ、さらに、高い結像性能を実現することが容易なズームレンズを提供することを目的とする。
【課題を解決するための手段】
【００１２】
本発明は、
物体側から順に、正の屈折力を有する第１レンズ群Ｇ１，負の屈折力を有する第２レンズ群Ｇ２，正または負の屈折力を有する第３レンズ群Ｇ３，全体として正の屈折力を有する第４レンズ群Ｇ４を有し、
前記第４レンズ群Ｇ４は、物体側からレンズ群４Ａ群、負の屈折力を有し、防振時光軸に対して略垂直方向に移動するレンズ群４Ｂ群，後続するレンズ群４Ｃ群からなり、
変倍に際して、前記第１レンズ群Ｇ１と前記第２レンズ群Ｇ２との間隔が広角端に対して望遠端で広がり、前記第３レンズ群Ｇ３は移動し、第４レンズ群Ｇ４は広角端に対して、望遠端で撮像面から離れるように移動し，前記４Ｂ群は前記４Ａ群、４Ｃ群に対して移動し、
フォーカスに際して，前記第３レンズ群Ｇ３が光軸上を前後に移動することを特徴とするズームレンズである。
【発明の効果】
【００１３】
本発明のズームレンズは、上述したように構成することによって、インナーフォーカス方式による、小型軽量で結像性能の良好な高倍率ズームレンズを構成することができる。
本発明によればまた、フォーカス機構の軽量化・オートフォーカス応答高速化・簡素化を実現でき、また、ズーム比を１０倍超にしてもズームレンズ光学系が重量化・大型化せず、鏡筒も合理的な寸法に抑え、そして、高い結像性能を実現することが容易なズームレンズを構成することができる。
【００１４】
本発明のズームレンズの効果を、さらに詳しく具体的に説明する。
広角端から望遠端にかけて、正の屈折力を持つ第１レンズ群Ｇ１と、負の屈折力を持つ第２レンズ群Ｇ２が、それらの間隔を拡大する方向に移動させられるので、変倍比を高めつつ広角端での歪曲収差、全ズーム域での球面収差を良好に補正することができる。
【００１５】
第３レンズ群Ｇ３は，正または負レンズからなり、変倍時及びフォーカス時に光軸上を前後に移動する。
【００１６】
第３レンズ群が負レンズの場合、第２レンズ群Ｇ２と隣接させ、また、第３レンズ群と第４レンズ群Ｇ４との中間に開口絞りを配置することが望ましい。第３レンズ群を負レンズの構成とした場合、固定絞りより距離を開けて第３レンズ群Ｇ３を配置することができるため、特に広角端で、第３レンズ群Ｇ３を通る、軸上、軸外の光線束が比較的細く通すことができるため、レンズ群移動機構の組立誤差による第３レンズ群Ｇ３の偏芯誤差感度を低く抑えることができる。
【００１７】
第３レンズ群Ｇ３が正レンズの場合、第３レンズ群Ｇ３は第４レンズ群Ｇ４と隣接させ、開口絞りは第２レンズ群Ｇ２と第３レンズ群Ｇ３の中間に配置することが望ましい。第３レンズ群Ｇ３を正レンズで構成する場合、固定絞りを第２レンズ群Ｇ２との間に配置できるため、入射瞳位置を浅く、すなわち入射瞳位置を物体側に配置することが可能となり、第１レンズ群Ｇ１中の物体側レンズの直径を小さくすることや、ズームレンズ光学系の全長の短縮化を図ることができる。
【００１８】
第４レンズ群Ｇ４は、変倍時、広角端から望遠端にかけて、撮像面から離れるように移動する。この移動により望遠端における倍率を稼ぎ、変倍比を高めることができる。
さらに、４Ｂ群を、第４レンズ群Ｇ４が変倍に伴い移動する間、第４レンズ群Ｇ４内で移動する構成とすると、その変倍比をさらに高めることができる。
【００１９】
４Ａ群は、物体側に凸レンズを配置し、少なくとも物体側に凸面を向けた負メニスカスレンズと正レンズとの接合レンズを含む構成であることが好ましい。これにより、広角端から望遠端にかけての軸上色収差を効果的に補正することができる。
４Ｂ群は、レンズ全系中の他のレンズ群に比べて比較的レンズ径を小さくし、防振機構を鏡筒内に組み込みやすい構成としている。
また、４Ｂ群は防振時の軸上色収差を小さくするために、正レンズと負レンズの接合レンズであることが好ましい。また、防振時の結像性能を高めるために、少なくとも非球面を１面以上持つことが好ましい。
４Ｃ群は、本発明のズームレンズを４Ｃ群以降にレンズ群を配置しないように構成する場合、比較的弱いパワーの正レンズ群と負レンズ群で構成させることになる。さらに、特に中間焦点距離から望遠端にかけての軸外のコマ収差を補正するためには、少なくとも２枚の正レンズと、１枚の負レンズとから構成させることが好ましい。
【００２０】
なお、第４レンズＧ４群よりも撮像面側に弱いパワーの正レンズ、あるいは負レンズの固定群を配置しても、本発明をその利点を大きく損なうことなく実施することができる。
絞り径は、全ズーム域、フォーカス域において一定の口径としても良いし、可変としてもよい。
【００２１】
以下に本発明の実施態様とその特性について説明する。
第１実施態様は、前記ズームレンズにおいて、以下の条件を満足するように構成される。
（１）０．２＜｜Ｆ２／Ｆ３｜＜２．５
Ｆ２：第２レンズ群の焦点距離
Ｆ３：第３レンズ群の焦点距離
条件式（１）は、負の前記第２レンズ群Ｇ２と、負または正の前記第３レンズ群Ｇ３の焦点距離の比を規定するものである。
【００２２】
条件式（１）の下限を超えて、前記第２レンズ群Ｇ２の焦点距離が短くなると、もしくは前記第３レンズ群Ｇ３の焦点距離が長くなると、第２レンズ群Ｇ２の屈折力が大きくなり過ぎて、特に広角端の像面湾曲が悪化し、補正が困難となる。また、フォーカス時の第３レンズ群Ｇ３の移動量が増え、物体距離無限遠から最至近距離へのコマ収差の補正が困難となる。
条件式（１）の上限を超えて、前記第２レンズ群Ｇ２の焦点距離が長くなると、もしくは前記第３レンズ群Ｇ３の焦点距離が短くなると、物体距離無限遠から最至近距離への収差変動、特に望遠端におけるコマ収差が悪化し、補正が困難となる。
【００２３】
条件（１）を、０．２５＜｜Ｆ２／Ｆ３｜＜２．３  とすると、全ズーム域での結像性能が適切に均衡させることができるので、望ましい。
さらに条件（１）を、０．３＜｜Ｆ２／Ｆ３｜＜２．１  とすると、全ズーム域での結像性能がより一層適切に均衡させることができるので、より望ましい。
【００２４】
第２実施態様は、前記ズームレンズにおいて、以下の条件を満足するように構成される。
（２）０．１８＜Ｆ１/ＦＴ＜２．１０
Ｆ１：第１レンズ群の焦点距離
ＦＴ：望遠端の焦点距離
条件式（２）は、望遠端における前記第１レンズ群Ｇ１の焦点距離を規定するものである。
【００２５】
下限を超えと、前記第１レンズ群Ｇ１の焦点距離が短くなり、望遠端で過大に発生するg線の軸上色収差の補正が困難となる。
上限を超えると、前記第１レンズ群Ｇ１の焦点距離が長くなり、望遠端でのズームレンズ光学系の全長が長くなる。また、広角端から望遠端にかけての繰り出し量が増え、鏡筒全長が拡大する。
【００２６】
条件式（２）を、０．２０＜｜Ｆ１/ＦＴ｜＜２．０５  とすると、鏡筒サイズ及び軸上色収差をより適切に均衡させることができる。
さらに条件式（２）を、０．２１＜｜Ｆ１/ＦＴ｜＜２．００  とすると、鏡筒サイズ及び軸上色収差をより一層適切に均衡させることができる。
【００２７】
第３実施態様は、前記ズームレンズにおいて、以下の条件を満足するように構成される。
（３）１．０＜｜Ｆ３/Ｆｗ｜＜２．４
Ｆ３：第３レンズ群の焦点距離
ＦＷ：広角端の焦点距離
条件式（３）は、第３レンズ群Ｇ３の広角端に置ける焦点距離の比を規定するものである。
【００２８】
条件式（３）の下限を超えると、第３レンズ群Ｇ３が負の屈折力を持つ場合、特に広角端での像面湾曲が著しくオーバー化し補正困難となり、また、最至近距離での結像性能が確保できなくなる。
第３レンズ群が正の屈折力を持つ場合、特に広角端での球面収差が著しくアンダー側に発生し、補正が困難となる。
【００２９】
条件式（３）の上限を超えると、第３レンズ群Ｇ３が負の屈折力を持つ場合、フォーカス時必要とする移動量が増え、入射瞳位置が結像側になり、第１レンズ群Ｇ１中の物体側レンズの直径やズームレンズ光学系の全長が拡大することになり好ましくない。
第３レンズ群Ｇ３が正の屈折力を持つ場合、第３レンズ群のフォーカス時の移動量を増え、ズームレンズ光学系の全長の増大を招くことになり好ましくない。
【００３０】
条件式（３）を、１．１＜  β３  ＜２．２とすると、鏡筒サイズの縮小化及び最至近距離の像面の平坦性を確保することができ、望ましい。
さらに条件式（３）を、１．２＜  β３  ＜０．１５５とすると、さらに鏡筒サイズの縮小化及び最至近距離の像面の平坦性が確保でき、より望ましい。
【００３１】
第４実施態様は、前記ズームレンズにおいて、前記レンズ群４Ｂ群は、少なくとも正、負２枚構成からなり、以下の条件を満足するように構成される。
（４）−１．６＜Ｆ４Ｂ／Ｆ４ｗ＜−０．１
Ｆ４Ｂ：第４レンズ群中に含まれる防振レンズ群の焦点距離
Ｆ４ｗ：第４レンズ群の広角端の焦点距離
条件式（４）は、前記４Ｂ群の焦点距離と、前記第４レンズ群の焦点距離との比を規定する。
【００３２】
第４実施態様では、防振群は負の屈折力とすることが好ましい。防振時に必要な防振群の補正移動量は、防振群の近軸横倍率をβ１、それ以降のレンズ群の近軸横倍率をβ２とすると、
ぶれ補正係数：（１-β１）×β２
に比例する。近軸横倍率β１は、負のパワーを持つレンズ群では負の値となるため、正の場合に比べてぶれ補正係数はその絶対値を大きくしやすく、少ない移動量で防振を行うことができる。
【００３３】
第４実施態様では、防振群の硝材選択は、防振時の軸上色収差の劣化を防ぐため、少なくとも正負２枚のレンズで構成させ、正レンズと負レンズとのｄ線に対するアッベ差を約７程度とすることが好ましい。
【００３４】
防振時、光軸に直交する方向に前記４Ｂ群を移動させる場合、条件式（４）の上限を超えると、補正移動量が増大して、防振機構の大型化に繋がるので望ましくない。
また、条件式（４）の下限を下回ると、前記４Ｂ群の防振敏感度が高くなり、ぶれ補正を行う上で必要な位置制御の精度確保が困難となる。
【００３５】
条件式（４）を、-１．５＜Ｆ４Ｂ／Ｆ４ｗ＜-０．１３  とすると、防振群の機構のコンパクト化及び防振時の結像性能をより向上させることができる。
さらに条件式（４）を、-１．４＜Ｆ４Ｂ／Ｆ４ｗ＜-０．１６  とすると、防振群の機構のコンパクト化及び防振時の結像性能をより一層向上させることができる。
【００３６】
第５実施態様は、前記ズームレンズにおいて、第３レンズ群Ｇ３は、単一のレンズ成分からなるように構成される。
単一のレンズ構成としたことにより、フォーカス群の軽量化が図れ、オートフォーカスの高速動作に適した構成となる。
ここで、単一のレンズ成分とは、単一の研磨レンズ、非球面レンズ、複合非球面レンズ、接合レンズを含む。空気層を間に持つ例えば正、負の２枚レンズ等は、単一のレンズ成分に含まれない。
【図面の簡単な説明】
【００３７】
【図１】本発明の第１実施形態の無限遠合焦状態のズームレンズの光学図であって、各レンズ群のズーム移動図も含む。
【図２】本発明の第１実施形態のズームレンズのズーム広角端の球面収差、非点収差、歪曲収差の収差図である。
【図３】本発明の第１実施形態のズームレンズのズーム中間焦点距離の球面収差、非点収差、歪曲収差の収差図である。
【図４】本発明の第１実施形態のズームレンズのズーム望遠端の球面収差、非点収差、歪曲収差の収差図である。
【図５】本発明の第１実施形態のズームレンズのズーム望遠端における像ぶれ補正を行わない基本状態と、像ぶれ補正を行った状態の横収差図である。
【図６】本発明の第２実施形態の無限遠合焦状態のズームレンズの光学図であって、各レンズ群のズーム移動図も含む。
【図７】本発明の第２実施形態のズームレンズのズーム広角端の球面収差、非点収差、歪曲収差の収差図である。
【図８】本発明の第２実施形態のズームレンズのズーム中間焦点距離の球面収差、非点収差、歪曲収差の収差図である。
【図９】本発明の第２実施形態のズームレンズのズーム望遠端の球面収差、非点収差、歪曲収差の収差図である。
【図１０】本発明の第２実施形態のズームレンズのズーム望遠端における像ぶれ補正を行わない基本状態と、像ぶれ補正を行った状態の横収差図である。
【発明を実施するための形態】
【００３８】
以下に本発明の実施形態を、添付図面を参照して説明する。各実施形態において、数値表の長さの単位はすべて「ｍｍ」であり、画角の単位はすべて「°」である。また、Ｒは曲率半径、Ｄは面間隔、Ｎｄはｄ線に対する屈折率、Ｖｄはｄ線に対するアッベ数である。さらに、ＡＳＰを付した面は非球面である。非球面形状は次式で定義される。
z = ch2/[1+{1-(1+k)c2h2}1/2]+A4h4+A6h6+A8h8+A10h10・・・
c :曲率(1/r)
h :光軸からの高さ
k :円錐係数
A4、A6、A8、A10・・・:各次数の非球面係数
【００３９】
各実施形態の収差図において、左側から順に、球面収差（ｍｍ）、非点収差（ｍｍ）、歪曲収差（％）を示す。球面収差図において、縦軸はＦナンバー（図中、Ｆｎｏで示す）を表し、実線はｄ線、破線はｇ線の特性である。非点収差図において、縦軸は画角（図中、ωで示す）を表し、実線はサジタル像面（図中、ｓで示す）、破線はメリディオナル像面（図中、ｍで示す）の特性である。歪曲収差図において、縦軸は画角（図中、ωで示す）を表す。
【００４０】
各横収差図において、望遠端における像ぶれ補正を行っていない状態が中央に示され、防振群を、光軸と略垂直方向に所定量移動させた、望遠端における像ぶれ状態が上側・下側に示されている。
各横収差図の上段は、最大像高の７０％の像点における横収差、下段は最大像高の−７０％の像点における横収差に、それぞれ対応する。
各横収差図の横軸は、瞳面上での主光線からの距離を表し、実線はｄ線、破線はｇ線の特性である。
【００４１】
（第１実施形態）
本発明の第１実施形態のズームレンズは、図１に示すように、物体側から順に、正の屈折力を有する第１レンズ群Ｇ１、負の屈折力を有する第２レンズ群Ｇ２、正の屈折力を有する第３レンズ群Ｇ３、全体として正の屈折力を有する第４レンズ群Ｇ４を有し、
前記第１レンズ群Ｇ１は、物体側から負レンズと正レンズの接合レンズと、物体側に凸面を向けた正メニスカスレンズからなり、
前記第２レンズ群Ｇ２は、物体側から、物体側面に非球面を有し物体側に凸面を有する負のメニスカスレンズと、負レンズ、両面凸レンズ、像面側に凸面を持ち像側面に非球面を有する負レンズからなり、
前記第３レンズ群Ｇ３は、両面に非球面を有する１枚の正レンズからなり、
前記第４レンズ群Ｇ４は、４Ａ群に物体側から正レンズと負レンズとの接合レンズと、負レンズと正レンズとの接合レンズからなり、４Ｂ群は物体側から両面凸レンズと像面側に凸面を持つ負レンズと、物体側に凸面を持つ正レンズからなっている。
【００４２】
変倍に際して、前記４Ａ群と前記４Ｃ群とが一体移動とし、開口絞りは前記第４レンズ群Ｇ４と一体移動し、全てのレンズ群が移動する。
【００４３】
前記第１レンズ群Ｇ１と前記第２レンズ群Ｇ２との間隔は、広角端から望遠端にかけて、広がる。
前記第２レンズ群Ｇ２と前記第３レンズ群Ｇ３との間隔は、広角端から望遠端にかけて、狭くなる。
前記第３レンズ群Ｇ３と前記第４レンズ群Ｇ４との間隔は、広角端から望遠端にかけて、広がる。
前記第４レンズ群と撮像面との間隔は、広角端から望遠端にかけて、広がる。
前記４Ｂ群と前記４Ａ群との間隔は、広角端から望遠端にかけて、広がる。
【００４４】
フォーカシングに際して、前記第３レンズ群Ｇ３が像面側に移動する。
【００４５】
第１実施形態では、最も撮像面側に平行平板を配置している。これは、撮像素子面上のフェースプレートや、レンズ系と撮像素子との間に配置されるカラーフィルタ等を想定し、それらを相当のガラスと見立てている。
【００４６】
第１実施形態のズームレンズの光学データは以下の通りである。
面番号         R          D         Nd         Vd
1        278.867      1.500     1.90366    31.3
2         66.841      7.998     1.49700    81.6
3       -182.755      0.200
4         58.606      6.561     1.74330    49.2
5        308.839      可変
6 ASP     59.665      0.200     1.51460    50.0
7         53.596      1.200     1.83400    37.3
8         11.866      4.670
9        -29.126      0.800     1.80420    46.5
10         84.097      0.200
11         34.639      3.148     1.92286    20.9
12        -35.311      可変
13        -15.272      1.000     1.80420    46.5
14 ASP    -40.983      可変
15開口絞り   ∞        可変
16 ASP     28.773      2.600     1.69680    55.5
17 ASP    -88.127      可変
18         18.310      5.357     1.49700    81.6
19        -19.373      1.283     1.80610    33.3
20        -40.189      0.205
21         18.464      1.000     1.90366    31.3
22          8.903      3.400     1.48749    70.4
23         34.848      1.000
24 ASP     38.629      3.505     1.68893    31.1
25        -11.471      0.800     1.83481    42.7
26         16.857      1.600
27         37.997      8.219     1.60342    38.0
28        -23.977      3.085
29        -14.455      1.000     1.90366    31.3
30       -121.076      0.200
31         61.344      3.899     1.64769    33.8
32        -32.309      可変
33           ∞        2.000     1.51680    64.2
【００４７】
非球面データ
第 6面   K= 0.00000E+00 A4= 1.21677E-05 A6= 3.43318E-08 A8=-2.28338E-10 A10= 8.42022E-13 
第14面   K= 0.00000E+00 A4=-1.31376E-05 A6= 1.00153E-08 A8=-3.15578E-10 A10= 6.70510E-13 
第16面   K=-1.94393E+01 A4= 9.39281E-05 A6=-6.71448E-07 A8= 3.63502E-09 A10=-1.49265E-12 
第17面   K= 0.00000E+00 A4= 1.27206E-05 A6= 1.28201E-07 A8=-2.32578E-09 A10= 1.92635E-11 
第24面   K= 0.00000E+00 A4= 4.65271E-05 A6=-5.51169E-08 A8= 7.91858E-09 A10=-2.33567E-11 
【００４８】
データ
広角      中間     望遠     望遠VC
焦点距離      18.48     60.00   200.00    200.00
Ｆナンバー     3.50      5.80     6.30      6.32
画角        39.18     13.14     3.96      4.48
d5           0.800    23.295   59.500    59.500 
d12          3.435     3.023    3.023     3.023 
d14         16.520     4.795    1.200     1.200 
d15          4.407     5.228    1.900     1.900 
d17          3.711     2.889    6.219     6.219 
d32         12.500    42.938   46.531    46.531 
レンズ全長    109.007   149.803  186.006   186.006
【００４９】
（第２実施形態）
本発明の第２実施形態のズームレンズは、図６に示すように、物体側から順に、正の屈折力を有する第１レンズ群Ｇ１、負の屈折力を有する第２レンズ群Ｇ２、負の屈折力を有する第３レンズ群Ｇ３、全体として正の屈折力を有する、第４レンズ群Ｇ４からなり、
前記第１レンズ群Ｇ１は、物体側から負レンズと正レンズの接合レンズと、物体側に凸面を向けた正メニスカスレンズからなり、
前記第２レンズ群Ｇ２は、物体側から、物体側面に非球面を持ち物体側に凸面を持つ負メニスカスレンズと、負レンズ、両面凸レンズ、像面側に凸面を持ち撮像面に非球面をもつ負レンズからなり、
前記第３レンズ群Ｇ３は、像面側に非球面を持った1枚の負レンズからなり、
前記第４レンズ群Ｇ４は、４Ａ群に物体側から両面が非球面からなる正レンズと、正レンズと、負レンズと正レンズとの接合レンズからなり、
４Ｂ群は、物体側から正レンズと負レンズとの接合レンズであり、像面側に非球面を持つレンズからなり、
４Ｃ群は、物体側から、両面凸レンズと、像面側に凸面を持つ負レンズと、物体側に凸面を持つ正レンズからなっている。
変倍に際して、前記４Ａ群と前記４Ｃ群が一体移動し、開口絞りは前記第４レンズ群Ｇ４と一体移動し、全てのレンズ群が移動している。
【００５０】
前記第１レンズ群Ｇ１と前記第２レンズ群Ｇ２との間隔は、広角端から望遠端にかけて広がる。
前記第２レンズ群Ｇ２と前記第３レンズ群Ｇ３との間隔は、広角端から望遠端にかけて広がる。
前記第３レンズ群Ｇ３と前記第４レンズ群Ｇ４との間隔は、広角端から望遠端にかけて狭まくなる。
前記第４レンズ群と撮像面との間隔は、広角端から望遠端にかけて広がる。
前記４Ｂ群は広角端から望遠端にかけて、前記４Ａ群との間隔が広がる。
【００５１】
フォーカシングに際して、前記第３レンズ群Ｇ３が物体側に移動する。
【００５２】
第２実施形態では、最も撮像面側に平行平板を配置している。これは、撮像素子面上のフェースプレートや、レンズ系と撮像素子との間に配置されるカラーフィルタ等を想定し、それらを相当のガラスと見立てている。
【００５３】
第２実施形態のズームレンズの光学データは以下の通りである。
面番号         R          D         Nd         Vd
1        283.479      1.500     1.90366    31.3
2         69.112      7.814     1.49700    81.6
3       -189.067      0.200
4         61.932      5.665     1.74330    49.2
5        373.599      可変
6 ASP     46.853      0.200     1.51460    50.0
7         42.625      1.200     1.83400    37.3
8         11.814      4.459
9        -31.279      0.800     1.80420    46.5
10         51.165      0.200
11         31.113      3.090     1.92286    20.9
12        -40.393      可変
13        -14.484      1.000     1.80420    46.5
14 ASP    -32.781      可変
15開口絞り   ∞        可変
16 ASP     29.904      2.600     1.69680    55.5
17 ASP    -81.848      可変
18         16.786      6.333     1.49700    81.6
19        -19.337      3.165     1.80610    33.3
20        -37.633      0.200
21         19.209      1.000     1.90366    31.3
22          8.369      3.400     1.48749    70.4
23         26.440      1.000
24 ASP     40.975      4.645     1.68893    31.1
25         -9.722      0.800     1.83481    42.7
26         16.614      1.000
27         19.708      4.000     1.60342    38.0
28        -38.921      2.733
29        -12.198      1.000     1.90366    31.3
30        -45.057      0.200
31        607.116      4.013     1.63980    34.6
32        -20.656      可変
33           ∞        2.000     1.51680    64.2
34           ∞
【００５４】
非球面データ
第06面   K= 0.00000E+00 A4= 1.03834E-05 A6= 8.50924E-08 A8=-7.86199E-10 A10= 4.00980E-12 
第14面   K= 0.00000E+00 A4=-1.47857E-05 A6= 7.34210E-08 A8=-2.02372E-09 A10= 1.61057E-11 
第16面   K=-2.04200E+01 A4= 8.69120E-05 A6=-4.40699E-07 A8=-1.10867E-10 A10= 2.11281E-11 
第17面   K= 0.00000E+00 A4= 1.15580E-05 A6= 3.03675E-07 A8=-5.37093E-09 A10= 3.83096E-11 
第24面   K= 0.00000E+00 A4= 4.86302E-05 A6= 9.53000E-08 A8= 5.50455E-09 A10= 2.51239E-11 
【００５５】
広角     中間       望遠     望遠VC
焦点距離      18.50     60.00     200.01    200.02
Ｆナンバー      3.500     5.801      6.301     6.316
画角        39.16     13.10       3.94      4.35
D5          0.800    23.133     61.384    61.384 
D12          3.340     2.860      2.711     2.711 
D14         16.725     4.585      1.200     1.200 
D15          4.188     5.340      1.900     1.900 
D17          4.210     3.058      6.498     6.498 
D32         12.500    43.490     47.023    47.023 
レンズ全長    106.986   147.691    185.944   185.944
【００５６】
第１実施形態及び第２実施形態のズームレンズの条件式の値は、以下の通りである。
第１実施形態        第２実施形態
条件式（１）Ｆ2/Ｆ３             1.09                0.92
条件式（２）Ｆ1/ＦT              0.48                0.49
条件式（３）β３                 0.07                0.15
条件式（４）ＦＶＣ／ＦＭ        -0.22               -0.21
【符号の説明】
【００５７】
Ｇ１          第１レンズ群
Ｇ２          第２レンズ群
Ｇ３          第３レンズ群
Ｇ４          第４レンズ群
Ｓ            開口絞り
４Ａ          ４Ａレンズ群
４Ｂ          ４Ｂレンズ群
４Ｃ          ４Ｃレンズ群
ＩＭＧ        像面
【図１】
2012181526.tif 000003
【図２】
2012181526.tif 000004
【図３】
2012181526.tif 000005
【図４】
2012181526.tif 000006
【図５】
2012181526.tif 000007
【図６】
2012181526.tif 000008
【図７】
2012181526.tif 000009
【図８】
2012181526.tif 000010
【図９】
2012181526.tif 000011
【図１０】
2012181526.tif 000012